(57)【要約】  【課題】マスクの装着後においても、長時間使用して使用者個人毎に痛みを感じてきた特に耳の付根部分等に自在に移動させることができるとともに該痛みを感じてきた箇所に良好に撓むように接触して痛みを顕著に緩和させ、さらにはコスト低減を図る。  【解決手段】シリコーンゴムを含む軟質ゴム製の螺旋状体３をマスク本体１に取り付けられた一対の耳掛紐２，２にそれぞれ巻き付くように移動自在に保持させた。【選択図】図１
2013150678.tif 000002
【特許請求の範囲】
【請求項１】
マスク本体に取り付けられた一対の耳掛紐が耳裏に掛かる部分の負担を緩和させるマスク用保護具において、
シリコーンゴムを含む軟質ゴム製の螺旋状体を前記一対の耳掛紐にそれぞれ巻き付くように移動自在に保持させたことを特徴とするマスク用保護具。
【発明の詳細な説明】
【技術分野】
【０００１】
本発明は、マスク用保護具に関するものであり、特に、マスクの装着後においても、長時間使用して使用者個人毎に痛みを感じてきた箇所に自在に移動させることができるとともに該痛みを感じてきた箇所に良好に撓むように接触して痛みを緩和させることが可能なマスク用保護具に関するものである。
【背景技術】
【０００２】
この種の従来技術としては、例えば、次のようなマスクの耳あてひもの緩和具が知られている。この従来技術は、マスクを耳裏に引っ掛けるひもに装着して、耳裏にかかる負担を軽減し、苦痛を除去する耳あてひもの緩和具であって、フェルト布、スポンジ等からなる縦長形状の両側に、この緩和具を耳あてひもに装着するための面ファスナーを設け、該フェルト布、スポンジ等からなる縦長形状の緩和具を、耳あてひもを挟み込んで前記面ファスナーで自分の耳裏の一番当たり具合の良いところに固定して使用するようにしている（例えば、特許文献１参照）。
【０００３】
また、他の従来技術として、例えば、次のようなマスク紐による耳擦れの防止を目的とする補助具が知られている。この従来技術は、耳の前上部から後ろ下部までの長さの主体部の背側にマスクのゴム紐が収まる溝を設けるとともに使用者に接触する側には布等の緩衝材を貼り付け、該主体部を前記背側の溝でマスクのゴム紐に掛けて使用するようにしている（例えば、特許文献２参照）。
【先行技術文献】
【特許文献】
【０００４】
【特許文献１】特開２００６−１５８９０５号公報
【特許文献２】特開２００６−２２３７９２号公報
【発明の概要】
【発明が解決しようとする課題】
【０００５】
特許文献１に記載の従来技術においては、フェルト布、スポンジ等からなる縦長形状の緩和具を、予め耳あてひもを挟み込んで、面ファスナーで固定して使用している。このため、マスクを装着後、長時間使用して使用者個人毎の痛みを感じてきた箇所に自在に移動させることは難しい。
【０００６】
特許文献２に記載の従来技術においては、耳の前上部から後ろ下部までの長さの主体部の背側に溝を設け、この溝を予めマスクのゴム紐に掛けて使用している。このため、マスクを装着後、長時間使用して使用者個人毎の痛みを感じてきた箇所に特になじむように接触させて、その特定の箇所の痛みを緩和させることは難しい。
【０００７】
また、マスク本体を含めたマスク全体で耳の負担を軽減させるようにしたマスクもあるが、このようなマスクは高価である。
【０００８】
そこで、マスクの装着後においても、長時間使用して使用者個人毎に痛みを感じてきた特に耳の付根部分等に自在に移動させることができるとともに該痛みを感じてきた箇所に良好に撓むように接触して痛みを顕著に緩和させ、さらにはコスト低減を図るために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、マスク本体に取り付けられた一対の耳掛紐が耳裏に掛かる部分の負担を緩和させるマスク用保護具において、シリコーンゴムを含む軟質ゴム製の螺旋状体を前記一対の耳掛紐にそれぞれ巻き付くように移動自在に保持させたマスク用保護具を提供する。
【００１０】
この構成によれば、シリコーンゴムを含む軟質ゴム製の螺旋状体は、全体的に軟らかく伸縮自在であり、マスク本体に取り付けられた耳掛紐に容易に巻き付けて保持させることができる。そして、マスクの装着後、長時間使用して特に耳の付根部分等の箇所に痛みを感じてきたとき、耳掛紐を手で引っ張って浮かせることにより螺旋状体を特に痛みを感じてきた箇所に自在に移動させることができ、その感じてきた箇所に撓むようにソフトに接触して痛みを緩和させることが可能となる。
【発明の効果】
【００１１】
請求項１記載の発明は、マスクの装着後、長時間使用して使用者個人毎に痛みを感じてきた特に耳の付根部分等の箇所に耳掛紐を手で引っ張って浮かせることにより螺旋状体を自在に移動させることができるとともにその痛みを感じてきた箇所に撓むようにソフトに接触して顕著に痛みを緩和させることができる。また、マスク本体を含めたマスク全体で耳の負担を軽減させるようにしたものではないのでコスト低減を図ることができるという利点がある。
【図面の簡単な説明】
【００１２】
【図１】本発明の実施例に係るマスク用保護具の斜視図。
【図２】図１のマスク用保護具における螺旋状体を拡大して示す図。
【発明を実施するための形態】
【００１３】
本発明は、マスクの装着後においても、長時間使用して使用者個人毎に痛みを感じてきた特に耳の付根部分等に自在に移動させることができるとともに該痛みを感じてきた箇所に良好に撓むように接触して痛みを顕著に緩和させ、さらにはコスト低減を図るという目的を達成するために、マスク本体に取り付けられた一対の耳掛紐が耳裏に掛かる部分の負担を緩和させるマスク用保護具において、シリコーンゴムを含む軟質ゴム製の螺旋状体を前記一対の耳掛紐にそれぞれ巻き付くように移動自在に保持させることにより実現した。
【実施例１】
【００１４】
以下、本発明の好適な実施例を図１及び図２を参照して説明する。まず、本実施例に係るマスク用保護具の構成を説明する。図１において、マスク本体１に取り付けられた一対の耳掛紐（ゴム紐）２，２に、保護具の主体となる螺旋状体３がそれぞれ巻き付くように移動自在に保持されている。
【００１５】
該螺旋状体３は、図２に拡大して示すように、シリコーンゴムを含む軟質ゴムで作製され、一つ一つの輪３ａがひだのようなイメージで全体的に軟らかく伸縮自在であり、前記耳掛紐２の任意の箇所に簡単に巻き付けるように保持させることが可能である。
【００１６】
次に、上述のように構成されたマスク用保護具の作用を説明する。シリコーンゴムを含む軟質ゴム製の螺旋状体３は、前記のように全体的に軟らかく伸縮自在であり、マスク本体１に取り付けられた耳掛紐２に容易に巻き付けて保持させることができる。
【００１７】
そして、マスクの装着後、長時間使用して特に耳の付根部分等の箇所に痛みを感じてきたとき、耳掛紐２を手で引っ張って浮かせることにより螺旋状体３を特に痛みを感じてきた箇所に自在に移動させることができ、その痛みを感じてきた箇所に撓むようにソフトに接触して痛みを顕著に緩和させることができる。
【００１８】
上述したように、本実施例に係るマスク用保護具においては、マスクの装着後、長時間使用して使用者個人毎に痛みを感じてきた特に耳の付根部分等の箇所に耳掛紐２を手で引っ張って浮かせることにより螺旋状体３を自在に移動させることができる。
【００１９】
痛みを感じてきた箇所において、螺旋状体３が撓むようにソフトに接触して顕著に痛みを緩和させることができる。
【００２０】
マスク用保護具はマスク本体１を含めたマスク全体で耳の負担を軽減させるようにしたものではないのでコスト低減を図ることができる。
【００２１】
なお、図２に於いて、螺旋状体３の断面形状は円形に形成されているが、之に限定せられるべきでなく、例えば、楕円形、ひだ状形等のように該断面形状等に変更することもでき、任意の断面形状の螺旋状体３が適宜採択されるものとする。
【００２２】
更に又、本発明は、本発明の精神を逸脱しない限り種々の改変をなすことができ、そして、本発明が該改変されたものにも及ぶことは当然である。
【産業上の利用可能性】
【００２３】
装着後においても、長時間使用して使用者個人毎に痛みを感じてきた特に耳の付根部分等に自在に移動させることができるとともに該痛みを感じてきた箇所に良好に撓むように接触して痛みを顕著に緩和させ、さらにはコスト低減を図ることが不可欠なマスクの耳掛紐以外の眼鏡のフレーム部分等にも広く適用することが可能である。
【符号の説明】
【００２４】
１    マスク本体
２    耳掛紐
３    螺旋状体
【図１】
2013150678.tif 000003
【図２】
2013150678.tif 000004